(57)【要約】【課題】本発明は、アンバランス振動の少ない洗濯乾燥機を提供することを目的とする。【解決手段】本発明は、外枠筐体内に縦に内置された水槽と、水槽内に縦に置かれ、洗濯物を収納する回転自在なる洗濯乾燥槽と、冷媒を圧縮する圧縮機と、圧縮された冷媒の熱を放熱する放熱器，圧縮された冷媒の圧力を減圧する調整弁，および減圧されて低圧となった冷媒が周囲から熱を奪う吸熱器を含む熱交換本体器を備えるヒートポンプ装置とを有し、圧縮機を前記水槽の下面側に支持したことを特徴とする。【選択図】図１
2007117169.tif 000002
【特許請求の範囲】
【請求項１】
外枠筐体内に縦に内置された水槽と、
前記水槽内に縦に置かれ、洗濯物を収納する回転自在なる洗濯乾燥槽と、
冷媒を圧縮する圧縮機と、圧縮された冷媒の熱を放熱する放熱器，圧縮された冷媒の圧力を減圧する調整弁，および減圧されて低圧となった冷媒が周囲から熱を奪う吸熱器を含む熱交換本体器を備えるヒートポンプ装置とを有し、
前記圧縮機を前記水槽の下面側に支持したことを特徴とする洗濯乾燥機。
【請求項２】
請求項１記載の洗濯乾燥機において、
前記水槽の下面中央に前記洗濯乾燥槽を駆動回転する電動機を備え、
前記下面中央から偏在するところに前記圧縮機を配置し、
前記下面中央を挟んで、前記圧縮機の反対側にカウンタウェートを設けたことを特徴とする洗濯乾燥機。
【請求項３】
請求項１記載の洗濯乾燥機において、
前記熱交換本体器を前記水槽の外側面に設けたことを特徴とする洗濯乾燥機。
【請求項４】
請求項１記載の洗濯乾燥機において、
前記熱交換本体器を構成する合成樹脂の外ケースを合成樹脂の前記水槽と一体に形成したことを特徴とする洗濯乾燥機。
【請求項５】
請求項１記載の洗濯乾燥機において、
前記熱交換本体器を前記外枠筐体に取り付け、
前記洗濯乾燥槽および前記熱交換本体器に流れる乾燥用空気の流通接続箇所に可撓性管を設け、前記熱交換本体器と前記圧縮機に跨る冷媒用流通管を可撓性管で連通するように接続したことを特徴とする洗濯乾燥機。
【請求項６】
請求項１記載の洗濯乾燥機において、
前記放熱器および前記吸熱器を含む熱交換ユニットは、放熱器側と，吸熱器側とを仕切る熱仕切り部と，熱仕切り部の放熱器側に設けて複数の放熱フィンと，熱仕切り部の吸熱器側に設けて複数の吸熱フィンと，放熱フィンおよび吸熱フィンに折り返すように這わす冷媒用流通管とを有することを特徴とする洗濯乾燥機。
【請求項７】
請求項６記載の洗濯乾燥機において、
前記放熱器側と前記吸熱器側との熱伝導を断つ真空断熱材を前記熱仕切り部に設けたことを特徴とする洗濯乾燥機。
【請求項８】
請求項６記載の洗濯乾燥機において、
前記放熱フィンおよび前記吸熱フィンと前記冷媒用流通管を熱伝導性の良好な材料で形成し、
前記放熱フィンおよび前記吸熱フィンと前記冷媒用流通管との間に存在する隙間や空間を熱伝導の良好なる合成樹脂で埋めたことを特徴とする洗濯乾燥機。
【請求項９】
請求項６記載の洗濯乾燥機において、
前記熱交換本体器は、前記熱交換ユニットを内置する合成樹脂の外ケースを有し、
前記熱交換ユニットは、前記放熱フィンおよび前記吸熱フィンが縦方向に延在するように配置され、
前記吸熱器が置かれる外ケースの内側を吸熱室とし、前記放熱器が置かれる外ケースの内側を放熱室とし、
前記洗濯乾燥槽および前記熱交換本体器に還流する乾燥用空気を前記吸熱室の下側近傍に導く、乾燥用空気吸気口を前記外ケースに設け、
前記放熱室を通過した乾燥用空気を前記洗濯乾燥槽に戻す乾燥用空気排気口を前記放熱室の下流側になる前記外ケースの上部側に設けたことを特徴とする洗濯乾燥機。
【請求項１０】
請求項９記載の洗濯乾燥機において、
前記吸熱室の下側に凝縮水排水口を設けたことを特徴とする洗濯乾燥機。
【請求項１１】
請求項１記載の洗濯乾燥機において、
前記放熱器および前記吸熱器を含む熱交換ユニットと、この熱交換ユニットを内置する外ケースと、熱交換ユニットを着脱するところの外ケースの下部に形成した取り付け開口を有することを特徴とする洗濯乾燥機。
【発明の詳細な説明】
【技術分野】
【０００１】
本発明は、ヒートポンプ装置を搭載した縦型式の洗濯乾燥機において、洗濯運転時、脱水運転時及び乾燥運転時に振動が少ない洗濯乾燥機に関するものである。
【背景技術】
【０００２】
ヒートポンプ装置を搭載したドラム式洗濯乾燥機は、特開２００５−２１１３９５号公報（特許文献１）に記載されているが、圧縮機及びその他の関連部品は外槽ではなく外枠筐体に配置されている。
【０００３】
【特許文献１】特開２００４−３５０８２５号公報
【発明の開示】
【発明が解決しようとする課題】
【０００４】
回転軸心が傾斜する洗濯乾燥槽（ドラム）を有するドラム式の洗濯乾燥機は、洗たく物の出し入れがし易い。その反面、回転軸心が水平なドラム式の洗濯乾燥機に比べ、洗濯物が絡み易く、洗濯物がドラム開口部の反対側である奥の方へ片寄り易く、洗濯運転時、脱水運転時及び乾燥運転時にアンバランスにより振動を生じる。
【０００５】
それに加え、ドラムが高速回転する脱水運転時はアンバランス振動が生じ易く、振動も大きくなるので振動低減を行う必要がある。特に、ヒートポンプ装置のように重量が比較的大きい部品を外槽に搭載する場合は配置場所及びスペースの確保が重要である。
【０００６】
本発明は、上記の問題に対処し、アンバランス振動の少ない洗濯乾燥機を提供することを目的とする。
【課題を解決するための手段】
【０００７】
本発明は、外枠筐体内に縦に内置された水槽と、水槽内に縦に置かれ、洗濯物を収納する回転自在なる洗濯乾燥槽と、冷媒を圧縮する圧縮機と、圧縮された冷媒の熱を放熱する放熱器，圧縮された冷媒の圧力を減圧する調整弁，および減圧されて低圧となった冷媒が周囲から熱を奪う吸熱器を含む熱交換本体器を備えるヒートポンプ装置とを有し、圧縮機を水槽の下面側に支持したことを特徴とする。
【発明の効果】
【０００８】
本発明によれば、ヒートポンプ装置の圧縮機を水槽の前側下部に設けた。これによりアンバランス振動に対するアンバランス抑制が向上し、アンバランスに対するアンバランス振動が少なくなった。
【発明を実施するための最良の形態】
【０００９】
本発明の実施例について、図面を引用して説明する。
【００１０】
図１に示すように、縦型式の洗濯乾燥機は、外枠筐体１の内側に外槽２が置かれる。外槽２は、縦に置かれ、合成樹脂で形成される。
【００１１】
洗濯乾燥槽３は、外槽２内に回転自在に置かれる。洗濯乾燥槽３は、縦に置かれ、上側に洗濯物が出し入れされる投入口を有する。バランサー６は、洗濯乾燥槽３の上側に固定される。バランサー６により、脱水回転時のアンバランによる振動は抑制される。
【００１２】
洗濯乾燥槽３は、胴部に多数の脱水孔９を有する。この脱水孔９から、脱水回転時に洗濯物２７に含まれる水分が遠心脱水される。
【００１３】
攪拌翼１０は、洗濯乾燥槽３の内底部に回転自在に置かれる。この攪拌翼１０を洗濯時に正逆回転させて洗濯乾燥槽３内の洗濯物２７を洗う。
【００１４】
つり棒４は外槽２を吊る。外槽２は防振ばね５を介してつり棒４に吊り下げ支持される。外槽２は４本のつり棒４で支持される。このつり棒４により、脱水回転時に洗濯乾燥槽３から生じる大きな振動が緩和されて外枠筐体１に伝わるので、外枠筐体１の振動は小さくなる。
【００１５】
駆動部１１は、外槽２の中心（中央）の外側下面に取り付けられる。駆動部１１は、ＤＣブラシレスモータ、減速機構等を有する。この駆動部１１により、攪拌翼１０や洗濯乾燥槽３は回転駆動される。
【００１６】
トップカバー７は、外枠筐体１の上部に設けられる。コントロールパネル８は、トップカバー７の前側に設けられる。外蓋１７は、トップカバー７の中央に開閉自在に設けられ、トップカバー７に設けた洗濯物の外部出し入れ口を開閉する。
【００１７】
内蓋１８は、外槽２の上部に開閉自在に設けられ、洗濯乾燥槽３の投入口に通じる内部出し入れ口を開閉する。
【００１８】
水道水給水弁１４は、トップカバー７の後側内部に置かれる。水道水給水弁１４の上流側に接続された水道水ホース１６の他端は水道栓（図示せず）に接続される。水道水給水弁１４の下流側に接続された注水路１５は蛇腹注水管１００を介して外槽２の上側に連通するように接続される。
【００１９】
水道水は、水道水給水弁１４を開放作動させることにより、注水路１５を流れて外槽２や洗濯脱水槽３に注がれる。
【００２０】
排水電磁弁１２は、外槽２の底部下方の外枠筐体１内に設けられる。排水電磁弁１２の上流側に接続された内部排水ホース１９の反対側は外槽２の底部に連通するように接続される。排水電磁弁１２の下流側に接続される排水ホース１３の反対側は家屋に備わる排水路に挿入される。内部排水ホース１９には、後で詳しく述べる凝縮水排水管２３が連通するように接続される。
【００２１】
外槽２内の洗濯水は、排水電磁弁１２を開放作動させることにより、内部排水ホース１９、排水ホース１３を流れて機外に排出される。
【００２２】
次に本発明の主要部である実施例のヒートポンプ装置を関連するところも含めて説明する。図１、図５、図６、図７に沿って詳しく述べる。
【００２３】
ヒートポンプ装置は、圧縮機２０と熱交換本体器２４、冷媒の圧力を減圧する調整弁を有する。圧縮機２０は、冷媒を圧縮する圧縮ポンプ部と、圧縮ポンプ部を駆動する電動機を有するので重い。
【００２４】
この圧縮機２０は、外槽２の外側の下面側に支持される。駆動部１１が置かれる下面中央から偏在するところに圧縮機２０は設けられ、下面中央を挟んで、圧縮機２０の反対側にカウンタウェート２１が設けられる。
【００２５】
重量の重い圧縮機２０が外槽２の下面側に設けられるので、洗濯乾燥槽３の脱水回転時によるアンバランによる振動が抑制される。また圧縮機２０の反対側にカウンタウェート２１が設けられているので、さらにアンバランによる振動は抑制される。
【００２６】
熱交換本体器２４は、図１、図５、図６に示すように外槽２の外側面に設けられる。熱交換本体器２４は、外ケース１０１と、外ケース１０１内に置かれる熱交換ユニット１０３を有する。
【００２７】
外ケース１０１は、合成樹脂で形成される。外槽２も合成樹脂で形成される。外ケース１０１を外槽２と一体化することに構成が簡単で組み立てが容易になる。
【００２８】
外ケース１０１の下部には、熱交換ユニット１０３を着脱する取り付け開口が形成されている。取り付け開口から外ケース１０１に挿入された熱交換ユニット１０３は、蓋を兼ねた底板６１をネジ６０で外ケース１０１のフランジ部に締め付けることにより固定される。熱交換ユニット１０３は、外ケース１０１の下部の取り付け開口より着脱が行なわれるので、組み立て分解が容易である。
【００２９】
シールパッキング５９が底板６１とフランジ部に挟持され気密を保っている。両者の合わせ部分から乾燥用空気が漏れないので、熱交換ユニットの熱交換効率が向上する。
【００３０】
熱交換ユニット１０３は、熱仕切り部３１を挟んで放熱器１０４と吸熱器１０５が分かれて置かれる。熱仕切り部３１の内部に真空断熱材５７が備えられる。真空断熱材５７により放熱器１０４と吸熱器１０５の熱伝導が良く断たれるので、熱交換ユニットの熱交換効率が向上する。
【００３１】
熱交換ユニット１０３は、熱仕切り部３１の放熱器側に設けた複数の放熱フィン５５と、熱仕切り部３１の吸熱器側に設けた複数の吸熱フィン５４とを有する。放熱フィン５５、吸熱フィン５４は、銅、アルミ等の熱伝導性の良好な材料で形成される。
【００３２】
熱仕切り部３１、底板６１は、合成樹脂で一体に形成される。放熱フィン５５、吸熱フィン５４は熱仕切り部３１と一体に形成される。縦方向に延在するように配置される放熱フィン５５および吸熱フィン５４には、放熱側の冷媒用流通管６４、吸熱側の冷媒用流通管６３が折り返すように這わされる。
【００３３】
冷媒用流通管６４、６３も熱伝導性の良好な材料で形成される。冷媒用流通管は折り返すよう這わされているので、熱伝導が良く行われる。
【００３４】
外ケース１０１に挿入された熱交換ユニット１０３は、放熱器１０４が放熱室３１ｂに、吸熱器１０５が吸熱室３１ａに置かれる。熱仕切り部３１が底板６１に立ち上がるように設けられているので、放熱室３１ｂと吸熱室３１ａの下側は塞がっている。逆に熱仕切り部３１の上端は、放熱室３１ｂと吸熱室３１ａを連通する乾燥用空気の流路になっている。
【００３５】
乾燥用空気吸気口２８は、外ケース１０１の吸熱室３１ａの下側近傍に設けられる。洗濯乾燥槽３内を環流する乾燥用空気は、外槽２を経て乾燥用空気吸気口２８から吸熱室３１ａに流入する。
【００３６】
凝縮水排水管２３は、吸熱室３１ａの下部の底板６１に設けられた凝縮水排水穴に連通するように接続される。吸熱器１０５の吸熱（冷却）で発生した凝縮水は排水電磁弁１２の排水操作により、凝縮水排水管２３、内部排水ホース１９、排水ホース１３を流れて機外に排水される。
【００３７】
仕切り案内板３０は、外ケース１０１内に設けられる。放熱室３１ｂ側に設けられる仕切り案内板３０は放熱室３１ｂを構成する。外ケース１０１の上部から垂下する仕切り案内板３０は、放熱室３１ｂと排気室３１ｃを仕切る。仕切り案内板３０の下端は、放熱室３１ｂと排気室３１ｃを連通する乾燥用空気が流通する流路になっている。
【００３８】
循環排気管２９は、排気室３１ｃの上部に設けられた排気口に連通するように接続される。循環排気管２９は、外槽２の上部に設けた送風口２６に連通するように接続される。蛇腹通風管１０６が送風口２６との接続に介在させているが設けなくとも支障はない。
【００３９】
圧縮機２０の吸引側には、吸熱側の冷媒用流通管６３の下流側が連通するように接続される。圧縮機２０の吐出側には、放熱側の冷媒用流通管６４の上流側が連通するように接続される。調整弁５３の入口側が放熱側の冷媒用流通管６４の下流側に、調整弁５３の出口側が吸熱側の冷媒用流通管６３の上流側に連通するように接続される。
【００４０】
放熱側の冷媒用流通管６４、吸熱側の冷媒用流通管６３は、放熱フィン５５、吸熱フィン５４に折り返すように這わされているが、熱伝導の良好なる合成樹脂で、冷媒用流通管と放熱フィンないし吸熱フィンとの隙間や空間等の空隙を埋めることが可能である。
【００４１】
これにより、熱伝導が更に良好になる。加えて、冷媒の流通に伴う冷媒用流通管の振動により生ずる冷媒用流通管と放熱フィンや吸熱フィンとの衝突が緩和されるので、騒音が低減される。また、乾燥運転時に乾燥用空気に乗って流れてくる糸くずや細かな繊維が隙間に付着することがなく、熱交換効率が良好に保たれる。
【００４２】
冷媒用流通管の埋設に用いる合成樹脂は、カーボンやシリコンを混練したものを含む熱伝性の良いものが望ましい。また、全体的に冷媒用流通管を合成樹脂中に埋設したり、一部が露出する埋設にすることも可能である。
【００４３】
送風ファン２５は、循環排気管２９と送風口２６の間の通風路に設けられる。この送風ファン２５に送られて、乾燥用空気が洗濯乾燥槽３、熱交換本体器２４を環流する。
【００４４】
乾燥運転では、圧縮機２０、送風ファン２５を運転する。圧縮機２０の運転により、圧縮された冷媒が放熱器１０４側の冷媒用流通管６４に流れて放熱する。その冷媒は調整弁５３で減圧されて吸熱器１０５側の冷媒用流通管６３に流れて吸熱し、圧縮機２０に流入して再び圧縮され、これの繰り返が行われる。
【００４５】
洗濯乾燥槽３内で洗濯物２７から奪取した多くの水分を含む乾燥用空気は、送風ファン２５に送られて乾燥用空気吸気口２８から吸熱室３１ａに流入し、冷却される。水分を凝縮水として排出した乾燥用空気は湿度が低下する。
【００４６】
低湿度になった乾燥用空気は、隣りの放熱室３１ｂに流れて温められ、更に湿度が低下する。温度が高く、湿度のより低くなった乾燥用空気が送風ファン２５により洗濯乾燥槽３内に送り込まれるので、洗濯物２７の水分が多く蒸発され、乾燥が速く、良く行われるのである。
【００４７】
外ケース１０１内に置かれる熱交換ユニット１０３は、放熱器１０４の放熱フィン５５、吸熱器１０５の吸熱フィン５４が上下に延在するように形成されている。そして、上下に延在する仕切り案内板３０で、吸熱器１０５が置かれる放熱室３１ｂと排気室３１ｃを仕切っている。さらに、乾燥用空気吸気口２８が外ケース１０１の吸熱室３１ａの下側近傍に設けられる。
【００４８】
このため、乾燥用空気吸気口２８から流入した高温多湿な乾燥用空気は、吸熱室３１ａでは吸熱フィン５４に沿って上昇し除湿され、隣りの放熱室３１ｂでは放熱フィン５５に沿って下降し加熱されて排気室３１ｃに流れる。こうして、乾燥用空気は、吸熱フィン５４、放熱フィン５５の全長に亘り接触するので、熱交換効率が向上し、洗濯物の乾燥が良く行われる。
【００４９】
次に図２に示す他の実施例について説明する。
【００５０】
ここでは、先の実施例と違うところを主に述べ、共通するところは共通の符号を付して説明を省略する。
【００５１】
この実施例は、ヒートポンプ装置をそっくり外枠筐体１に取り付け水槽と別体とした構成を有する。熱交換本体器２４は、上部に設けられた排気口側が蛇腹通風管１０６を介して送風口２６に連通するように接続されている。下部にある乾燥用空気吸気口側は蛇腹通風管１０７を介して外槽１に連通するように接続されている。
【００５２】
このように、熱交換本体器２４の上下が蛇腹通風管を介して外槽１に連通するように接続されているため、洗濯乾燥槽３のアンバランスで、外槽１が大きく揺れでも蛇腹通風管（可撓性管）により吸収緩和され、振動、騒音の低減が図られる。
【００５３】
図２に示す他の実施例に更に変更を加えた他の実施例について説明する。
【００５４】
上述した図２に示す実施例と違うところは、熱交換本体器２４は外枠筐体１に取り付けられたままとし、熱交換本体器２４から切り離された圧縮機２０を外槽２の下面に取り付け支持した構成した。そして、熱交換本体器２４と圧縮機２０の間に跨る冷媒用流通管６４や冷媒用流通管６３を可撓性管で連通するように接続した。
【００５５】
このような構成にすることにより、外槽２の下面側に設けられた重量の重い圧縮機２０が、洗濯乾燥槽３の脱水回転時によるアンバラン振動を良く抑制する。
【００５６】
また、乾燥用空気が流通する流通接続箇所が蛇腹通風管（可撓性管）により連通するように接続され、冷媒用流通管６４や冷媒用流通管６３も可撓性管で連通するように接続したので、脱水回転時によるアンバラン振動に対して可撓性により吸収緩和され、破損は生じないく、また外枠筐体１への振動の低減や、騒音の低減が図られる。
【００５７】
次に図３を沿って洗濯乾燥機の運転工程を説明する。
【００５８】
この運転工程は洗濯物２７に付着した汚れを落したり、またすすぎで洗剤分をすすいだり、また洗濯物２７に含まれた水分を洗濯乾燥槽３の回転により脱水穴９から遠心力で脱水したり、それらの水分を排水することなどを自動的に行う一般的な自動洗濯コースを示すブロック図である。
【００５９】
先ず、水道水給水弁１４の操作により給水工程３００が動作される。洗い工程３０１では洗濯に必要な水が図１に示す外槽２内に給水されると、ＤＣブラシレスモータが回転して撹拌翼１０が回転する。
【００６０】
この時の撹拌翼１０は、休止をおいて右回転、左回転を数回しながら洗濯物２７が洗濯される。
【００６１】
洗い工程３０１が終了すると、洗いにより洗濯物２７の汚れが溶け込み汚れた洗濯水を洗濯機外に排出する排水工程３０２に移行する。
【００６２】
排水が終了した後、洗濯物２７に含まれている洗剤分を脱水する脱水工程３０３へ移行する。脱水工程３０３では、洗濯乾燥槽３を高速回転して洗濯物２７を遠心力により洗濯乾燥槽３の内壁に複数個設けられた図１に示す脱水穴９より脱水される。
【００６３】
脱水工程３０３が終了すると、洗濯物２７に含まれた洗剤分をすすぐ、すすぎ工程３０５に移行する。
【００６４】
すすぎ工程３０５の運転工程に入る前に、洗い３０１と同じように清水を給水する給水工程３０４にて必要な清水を外槽２内に給水される。
【００６５】
一般的にすすぎに必要な清水は洗い時と同じ程度の給水が供給される。
【００６６】
規定量の清水が給水されると、すすぎ工程３０５に自動的に進行し、洗い工程３０１と同じように撹拌翼１０を左右に反転しながら洗濯物２７にふくまれた洗剤分を除去する。
【００６７】
すすぎ終了後の排水工程３０６−脱水工程３０７−すすぎ（２）工程３０８−排水工程３０９は前述した動作と同じように行われ、最後に洗濯物２７に含まれる水分を十分に脱水する最終脱水工程３１０へ移行する。
【００６８】
最終脱水工程３１０の脱水時間は、一般的に５分以上で洗濯乾燥槽３を高速にて回転させ洗濯物２７の水分を除去するものであり、この時の脱水率は６０〜６５％に至る。
【００６９】
なお、洗濯乾燥機にヒートポンプ装置を設けて、洗いから乾燥まで自動的に進行する洗濯乾燥機の場合などは、最終脱水工程３１０が終了した後、自動的に乾燥工程３１１へ移行する。
【００７０】
乾燥工程３１１では、洗濯物２７の水分が脱水工程で十分に除去された後、図６で説明したヒートポンプ装置により放熱器１０４で熱交換された温風を洗濯物２７に吹き付けながら撹拌翼１０を反転もしくは一方向に回転させて洗濯物２７を撹拌しながら水分を除去し乾燥させるものである。
【００７１】
湿った洗濯物９を乾燥するとき、洗濯ドラム１１内では、高温多湿の状態となるため、乾燥用空気吸気口２８を介在して送風ファン２５により吸熱器１０４へ送られ、ここで湿度の高い空気を凝縮して結露させ、結露水は凝縮水排水管２３を通して排水電磁弁１２の開放操作により排水される。
【００７２】
除湿された空気は放熱器１０４へ送られ、循環排気管２９を流れて送風口２６から洗濯乾燥槽３内へ送り込まれる。
【００７３】
乾燥工程時、撹拌翼１０を反転させながら洗濯物を撹拌し、洗濯乾燥槽３内を還流する乾燥用空気をヒートポンプ装置の吸熱器、放熱器により、除湿、加熱を行い、洗濯物２７を乾燥する。
【００７４】
乾燥終了後は、自動的に終了工程３１２へ移行して洗濯乾燥コースを終了する。
【００７５】
次に図４の回路ブロック図に沿って洗濯乾燥機の駆動について説明する。
【００７６】
電源４００はＡＣ１００Ｖ５０／６０Ｈｚに接続されている。先ず、電源スイッチ４０１を投入する。
【００７７】
通電された電気は、電源ラインノイズや空中電波ノイズをカットするフイルター回路４０２を介在して、ＤＣブラシレスモータ４１０の駆動電源である整流回路４０３で交流電源から高圧の直流電源に変換し、ＤＣブラシレスモータ駆動回路であるＤＣインバータ駆動回路４０５に供給する。
【００７８】
ＤＣインバータ駆動回路４０５はＤＣブラシレスモータＵ相４０６、Ｖ相４０７、Ｗ相４０８の各相コイルにマイコン４１１の制御指令により電機角１２０度もしくは１８０度で電源を供給するＩＧＰＴ素子回路から構成されており運転制御される。
【００７９】
ＤＣブラシレスモータ４１０の回転制御は、複数個の磁石を有したロータ（図省略）の回転により、ＤＣブラシレスモータ４１０の外周部に固定して設置されているＩＣホール素子４０９からの信号をマイコン４１１に取り込み回転数を制御して洗濯乾燥槽３や撹拌翼１０の回転速度を調整している。
【００８０】
また、洗い時に洗濯物２７に付着した汚れや洗剤分を除去するすすぎ時に必要な清水はマイコン４１１の指令により、駆動回路部４１２に接続された水道水給水弁１４に通電されて給水され、また排水時においては、排水電磁弁１２の操作を行い洗濯機外に汚れた洗濯水を排水する。
【００８１】
また、乾燥時には、ヒートポンプ装置の圧縮機２０や、調整弁５３、送風ファン２５の運転制御が行われる。
【図面の簡単な説明】
【００８２】
【図１】本発明の実施例に係わるもので、縦型式の洗濯乾燥機の縦断面図を示す。
【図２】本発明の他の実施例に係わるもので、縦型式の洗濯乾燥機の縦断面図を示す。
【図３】本発明の実施例に係わるもので、運転工程ブロック図を示す。
【図４】本発明の実施例に係わるもので、駆動回路図を示す。
【図５】本発明の実施例に係わるもので、熱交換本体器を外槽の外側から見た斜視図である。
【図６】本発明の実施例に係わるもので、熱交換本体器の縦断面である。
【図７】本発明の実施例に係わるもので、熱交換ユニットの斜視図である。
【符号の説明】
【００８３】
１…外枠筐体、２…水槽、３…洗濯乾燥槽、２０…圧縮機、１０４…放熱器、５３…調整弁、１０３…吸熱器、２４…熱交換本体器。
【図１】
2007117169.tif 000003
【図２】
2007117169.tif 000004
【図３】
2007117169.tif 000005
【図４】
2007117169.tif 000006
【図５】
2007117169.tif 000007
【図６】
2007117169.tif 000008
【図７】
2007117169.tif 000009